(57)【要約】【課題】  長期間の連続演奏が可能で、経済的な動力源を有するオルゴール装置を提供する。【解決手段】  曲目に応じて複数のピンが植設された回転ドラムと、ピンに接触して弁先を振動させて曲目に対応した音色を発する振動弁と、複数枚の羽根を有する風車とからなり、風車と回転ドラムは動力伝達手段を介して連結され、風車を回転させて得られた動力によって回転ドラムを回転させることを特徴とする。【選択図】  図１
2005173064.tif 000002
【特許請求の範囲】
【請求項１】
曲目に応じて複数のピンが植設された回転ドラムと、前記ピンに接触して弁先を振動させて前記曲目に対応した音色を発する振動弁と、複数枚の羽根を有する風車とからなり、該風車と前記回転ドラムは動力伝達手段を介して連結され、該風車を回転させて得られた動力によって該回転ドラムを回転させることを特徴とするオルゴール装置。
【請求項２】
自転車などの乗り物に取り付けて使用し、該乗り物の運転者に速度を認知させるための速度感知装置であって、該速度感知装置は、曲目に応じて複数のピンが植設された回転ドラムと、前記ピンに接触して弁先を振動させて前記曲目に対応した音色を発する振動弁と、複数枚の羽根を有する風車とを備えたオルゴール装置からなり、前記風車と前記回転ドラムは、動力伝達手段を介して連結され、該風車を回転させて得た動力によって該回転ドラムを回転させ、該乗り物の走行速度に応じて変化する風車の回転速度に対応して該回転ドラムの回転速度が変化することを特徴とする速度感知装置。
【発明の詳細な説明】
【技術分野】
【０００１】
本発明は、オルゴール装置に関するものであり、特に長時間の連続演奏を可能としたオルゴール装置に関するものである。また、乗り物の速度を運転者に認知させることが可能な速度感知装置にも関する。
【背景技術】
【０００２】
オルゴールは、音色を奏でる機器として従来からよく知られ、人形、小物入れ、キーホルダーなど様々な物品と組み合わせて使用されている。近年では、オルゴール特有のシンプルで優しい音色が注目され、リラクゼーション、癒し効果といった分野でも使用されるようになっている。
【０００３】
日常で使用されているオルゴールのほとんどが、小型のシリンダオルゴールである。このシリンダオルゴールは、曲目に応じて複数のピンが回転ドラムに植接されており、このピンと振動弁が接触し、弁先が振動すると音色を発する。回転ドラムを一定の速度で回転させると、曲目が適切な曲調で演奏される。この回転ドラムを回転させるには何らかの動力源が必要であり、ゼンマイを使用するのが一般的であった。近年では、電池を使用してモーターを回転させ、回転ドラムを回転させるものや、一般電源を使用して回転ドラムを回転させるものなどがある。
【０００４】
ところで、近年高齢化が進み、自転車に乗る高齢者の数が非常に増えている。これに伴い、高齢者の自転車による交通事故数も増加している。高齢者が交通事故を起こす原因には様々なものがあるが、危険を察知し身体が反応するまでの速度が遅く、危険回避ができずに、事故を起こすケースがある。つまり、加齢に比例して反応速度が遅くなるため、ブレーキをかける、ハンドルをきる、足をつけるといった危険回避行動が瞬間的に行えなくて、衝突や転倒し事故になるといったものである。
【発明の開示】
【発明が解決しようとする課題】
【０００５】
上記オルゴールの動力源であるゼンマイは、一定時間が経過すると停止してしまう。そこで、何回も巻き上げる必要があり、非常に面倒であるという問題を有していた。また、ゼンマイが停止するときは、ゼンマイの力が徐々に弱まりながら停止する。従って、オルゴールは、回転ドラムの回転が徐々に遅くなるため、曲調も徐々に遅くなり、最終的には停止してしまい、曲目が正確に演奏されないという問題も有していた。
【０００６】
また、電池などを動力源にしたときも、電池の電力が消費されるとオルゴールが停止してしまい、新たな電池を用意しなければならないという問題があった。また、オルゴールを聞かない場合でも電池の電力は微量ながら消費されてしまうため、非経済的であるという問題があった。
【０００７】
以上のことから、長期間の連続演奏が可能で、経済的な動力源を備えたオルゴール装置の開発が望まれていた。
【０００８】
また、上記の高齢者が運転する自転車の交通事故に関しては、自転車の速度を出し過ぎず、運転者が危険を察知してから回避が可能な速度で運転をすることが好ましい。しかし、自転車の運転は運転者の感覚による部分が多く、運転者が無意識のうちに速度を出し過ぎていることが多い。そこで、自転車が出している速度を運転者に知らせる方法について様々な検討がなされた。
【０００９】
まず、速度計を自転車に取り付ける方法が検討されたが、運転者が速度計を見るために視線を大幅に移動する必要があり、自転車の運転に支障が出て危険であるという問題が生じた。このことから、自転車の運転に支障を与えず、運転者に速度を認知させることができる装置の開発が望まれた。
【００１０】
また、歩道と自転車用道路とに区別されていない場合、歩行者と自転車は同じ動線上を通行している。歩行者と自転車は、移動速度が異なるため同じ動線上では接触してしまう。そこで、自転車の運転者は走行中であることを歩行者に知らせようとベルを鳴らす場合がある。しかし、自転車のベルを突然鳴らしたり、必要以上に鳴らすことは、他の者に非常に不快な思いを与え、ひどい時には喧嘩になるという問題が生じていた。
【００１１】
以上のことから、自転車などの乗り物の運転者に対して、運転の支障とならずに速度を知らせることができ、また、乗り物が走行中であること並びにおよその走行速度を周囲の者に知らせることができる速度感知装置の開発が望まれていた。
【課題を解決するための手段】
【００１２】
上記課題を解決するために本発明に係るオルゴール装置は、曲目に応じて複数のピンが植設された回転ドラムと、ピンに接触して弁先を振動させて曲目に対応した音色を発する振動弁と、複数枚の羽根を有する風車とからなり、風車と回転ドラムは、動力伝達手段を介して連結され、風車を回転させて得られた動力によって回転ドラムを回転させることを特徴とする。
【００１３】
また、上記課題を解決するために本発明に係る速度感知装置は、曲目に応じて複数のピンが植設された回転ドラムと、ピンに接触して弁先を振動させて曲目に対応した音色を発する振動弁と、複数枚の羽根を有する風車とを備えたオルゴール装置からなり、風車と回転ドラムは、動力伝達手段を介して連結され、風車を回転させて得た動力によって回転ドラムを回転させ、乗り物の走行速度に応じて変化する風車の回転速度に対応して回転ドラムの回転速度が変化することを特徴とする。
【発明の効果】
【００１４】
本発明に係るオルゴール装置は、曲目に応じて複数のピンが植設された回転ドラムと、ピンに接触して弁先を振動させて曲目に対応した音色を発する振動弁と、複数枚の羽根を有する風車とからなり、風車と回転ドラムは、動力伝達手段を介して連結され、風車を回転させて得られた動力によって回転ドラムを回転させるため、回転ドラムを回転させるための動力源が必要なく非常に経済的である。また、風車が回転する限り回転ドラムを回転させることができるため、長時間の連続演奏が可能となる。
【００１５】
また、本発明に係る速度感知装置は、曲目に応じて複数のピンが植設された回転ドラムと、ピンに接触して弁先を振動させて曲目に対応した音色を発する振動弁と、複数枚の羽根を有する風車とを備えたオルゴール装置からなり、風車と回転ドラムは、動力伝達手段を介して連結され、風車を回転させて得た動力によって回転ドラムを回転させ、乗り物の速度に対応して回転ドラムの回転速度が変化するため、オルゴールの曲目の曲調の正確さによって自転車の速度を運転者に知らせることができ、速度の出し過ぎを運転者に感知させることができる。また、乗り物が走行中であることならびにそのおよその走行速度を周囲に知らせることができるため、歩行者と乗り物との接触を未然に回避することができる。
【発明を実施するための最良の形態】
【００１６】
本発明に係るオルゴール装置２について、図を参照にしながら説明する。図１は、本発明にかかるオルゴール装置２を示した説明図である。なお、これらの図は説明のためのものであって、本発明を何ら限定するものではない。
【００１７】
本発明に係るオルゴール装置２は、曲目に応じて複数のピン６が植設された回転ドラム４と、ピン６に接触して弁先を振動させて曲目に対応した音色を発する振動弁８と、複数枚の羽根を有する風車１０とからなる。
【００１８】
回転ドラム４の外周面には、所定の曲目に応じて配列された複数の金属製ピン６が植設されている。振動弁８は振動板を櫛歯状に形成し、振動弁８がピン６と噛み合うように設置されている。回転ドラム４を回転させると、ピン６が振動弁８を持ち上げ、ピン６と振動弁８の係合が外れ、振動弁８が振動して音を発する。ピン６の設置数や設置箇所、振動弁８の音階などの組み合わと、回転ドラム４の回転速度によって所定の曲目が流れる仕組みになっている。
【００１９】
また、本発明に係るオルゴール装置２は、風車１０と回転ドラム４が動力伝達手段１２を介して連結され、風車１０を回転させて得られた動力によって回転ドラム４を回転させることを特徴とする。つまり、本発明に係るオルゴール装置２は、風車１０の回転によって得られた動力を回転ドラム４に伝え、回転ドラム４を回転させてオルゴールの演奏を行おうとするものである。
【００２０】
風車１０と回転ドラム４を結ぶ動力伝達手段１２としては、風車１０が回転して得られる動力を回転ドラム４に伝えることができれば、手段、方法、構造などについて特に限定せず適宜設定すれば良い。図示されたように、回転ドラム４の中心軸を延長し、その先端部に風車１０を取り付けても良い。また、風車１０の羽根を固定する支点と、回転ドラム４の中心軸とをベルト状部材などで連結しても良い。
【００２１】
本発明に係る風車１０は、一般的に使用されているものを使用することができるが、適当な強度を有し、容易に破損しない材料で形成されているのが好ましい。フレーム部分などは、アルミ、ステンレスなどの各種金属を使用するのが良いが、適宜設定すれば良い。また、羽根の部分は、適当な強度と軽量化が可能な材料で形成されているのが良く、プラスティックなどが好ましいが、特に限定しない。また、図中では風車の羽根が３枚となっているが、必ずしも３枚である必要はなく、種々の条件を考慮して適当数を設定すれば良い。
【００２２】
以上が本発明に係るオルゴール装置２についての説明であるが、本発明の目的を逸脱しない限り種々の設定、条件は変更が可能である。
【００２３】
次に、本発明に係る速度感知装置１４について説明する。本発明に係る速度感知装置１４は、曲目に応じて複数のピン６が植設された回転ドラム４と、ピン６に接触して弁先を振動させて前記曲目に対応した音色を発する振動弁８と、複数枚の羽根を有する風車１０とを備えたオルゴール装置２からなり、風車１０と回転ドラム４は、動力伝達手段１２を介して連結され、風車１０を回転させて得た動力によって回転ドラム４を回転させ、乗り物の走行速度に応じて変化する風車１０の回転速度に対応して回転ドラム４の回転速度が変化することを特徴とする。
【００２４】
本発明に係る速度感知装置１４は、乗り物の速度に対応して回転ドラム４の回転速度を変化させることで、運転者にオルゴール装置２の曲目の曲調から乗り物のおおよその速度を認知させて、乗り物の速度の出し過ぎを押さえようとするものである。つまり、乗り物が適切な速度を出しているときは、オルゴール装置２の曲目が適切なリズムで演奏されるため、運転者は乗り物が適切な速度で走行していることが判断できる。また、乗り物が速度を出しすぎている時は、オルゴール装置２の曲目が適切なリズムよりも早く演奏されるため、運転者は乗り物が速度を出し過ぎて走行していることを感知できる。
【００２５】
特に、乗り物が自転車１６の場合、運転者は自転車１６がどの程度の速度を出しているかを知ることができない。例えば、自転車１６に速度計を取り付けても、運転者が速度計を見るために目線を移動させる必要があり、非常に危険である。本発明に係る速度感知装置１４は、自転車１６を運転していても運転者は目線を移動させる必要がなく、自転車１６の速度を運転者に認知させることができるので、安全である。
【００２６】
また、オルゴールの音色によって、周囲の者に乗り物が走行中であることならびにそのおよその走行速度を知らせることができるので、衝突事故などを未然に防止することができる。
【００２７】
本発明に係る速度感知装置１４のオルゴール装置２は、上記したものと同一であるため、説明を省略する。
【００２８】
本発明に係る速度感知装置１４の設置箇所としては、速度感知装置１４を固定することができ、風車１０の回転に支障ない場所が好ましい。例えば、図２及び図３に示されているように、乗り物が自転車１６であって、自転車１６に前カゴ１８が付いている場合は、前カゴ１８の底部に速度感知装置１４を固定し、前カゴ１８から風車１０を突出させて設置するのが良い。自転車１６に前カゴ１８がない場合は、自転車１６のフレームに速度感知装置１４を固定し、風車１０が自転車１６に接触しないような位置に設置されるのが良い。
【産業上の利用可能性】
【００２９】
本発明に係るオルゴール装置は、風車の回転を利用して回転ドラムを回転させるため、一般電源が確保できないような野外に設置することが可能である。また、野外に設置されている彫刻やオブジェとオルゴール装置を組み合わせると、目で鑑賞するものに不定期に演奏されるオルゴールの音色が加わって、新たな芸術品を提供することもできる。
【００３０】
また本発明に係る速度感知装置は、乗り物の速度に応じてオルゴール装置の曲目の曲調が変化するため、乳幼児が乗るおもちゃの乗り物などに搭載し、乗り物を走行させるとオルゴールが演奏する仕組みを利用して、情操教育に活用することができる。
【図面の簡単な説明】
【００３１】
【図１】本発明に係るオルゴール装置を示した説明図である。
【図２】本発明に係る速度感知装置を使用した状態を示した説明図である。
【図３】本発明に係る速度感知装置を使用した状態を示した側面図である。
【符号の説明】
【００３２】
２    オルゴール装置
４    回転ドラム
６    ピン
８    振動弁
１０  風車
１２  動力伝達手段
１４  速度感知装置
１６  自転車
１８  前カゴ
【図１】
2005173064.tif 000003
【図２】
2005173064.tif 000004
【図３】
2005173064.tif 000005